【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
受信予定の放送番組の録画処理を実行する録画処理装置であり、
放送番組に関連する記事情報であって記事識別子の設定された記事情報を取得するデータ入力手段と、
前記記事情報の記事識別子を登録情報とした録画予約リストを生成し記憶部に格納するとともに、前記録画予約リストに設定された記事識別子に対応付けられた放送日時情報を前記データ入力手段を介して入力し、前記記憶部に格納済みの録画予約リストに対して取得した放送日時情報の登録処理を実行する記事情報解析手段と、
前記記憶部に格納された録画予約リストに設定された放送日時情報に基づいて録画処理を実行する録画処理制御手段と、
を有することを特徴とする録画処理装置。
【請求項２】
前記記事情報解析手段は、
入力した前記放送日時情報に対応付けられた記事識別子と、前記記憶部に格納済みの録画予約リストに登録済みの記事識別子との照合を実行し、両識別子が一致する場合に前記録画予約リストに対する放送日時情報の登録処理を実行する構成であることを特徴とする請求項１に記載の録画処理装置。
【請求項３】
前記記事情報解析手段は、
ユーザ入力情報に基づいて選択された記事に対応する記事識別子を登録情報とした録画予約リストを生成して記憶部に格納する構成であることを特徴とする請求項１に記載の録画処理装置。
【請求項４】
前記記事情報解析手段は、
記憶部に格納されたユーザの嗜好情報に基づいて選択された記事に対応する記事識別子を登録情報とした録画予約リストを生成して記憶部に格納する構成であることを特徴とする請求項１に記載の録画処理装置。
【請求項５】
前記記事情報は、
放送番組関係者の提供する記事、または一般視聴者の提供する情報のいずれかであり、
前記記事情報解析手段は、
放送番組関係者の提供する記事、または一般視聴者の提供する情報に対応付けられた記事識別子を登録情報とした録画予約リストを生成し記憶部に格納する処理を実行する構成であることを特徴とする請求項１に記載の録画処理装置。
【請求項６】
録画予約処理システムであり、
放送予定の番組の番組識別子に対応付けて番組管理情報を格納した番組管理システムと、
前記番組識別子によって識別可能な番組に関連する記事情報を記事識別子に対応付けて格納した記事管理システムと、
前記記事管理システムから取得した記事情報に基づいて録画対象を選定し、前記記事識別子を設定した録画予約リストを生成して記憶部に格納するとともに、前記録画予約リストに登録された記事識別子に対応する記事に対応する番組の放送日時情報を取得して、前記録画予約リストに追記する処理を実行し、該録画予約リストに設定された放送日時情報に基づく録画処理を実行する録画処理装置と、
を有することを特徴とする録画予約処理システム。
【請求項７】
前記放送日時情報は、前記番組管理システムから前記記事管理システムに送信され、さらに、前記記事管理システムから前記録画処理装置に送信される構成であることを特徴とする請求項６に記載の録画予約処理システム。
【請求項８】
前記記事管理システムは、
前記記事識別子に対応付けて記事情報と前記番組識別子とを格納する構成であることを特徴とする請求項６に記載の録画予約処理システム。
【請求項９】
前記記事管理システムは、
前記記事管理システムに格納された記事に対応する記事識別子を前記番組管理システムに通知する処理を実行し、
前記番組管理システムは、
前記記事管理システムから通知された記事識別子を、前記番組管理情報中に格納する構成であり、前記番組管理情報中に放送日時情報が入力された場合に、登録された記事識別子に対応する記事を格納した記事管理システムに対して放送日時情報の通知処理を実行する構成であることを特徴とする請求項６に記載の録画予約処理システム。
【請求項１０】
前記記事管理システムは、
前記番組管理システムから通知される放送日時情報に付帯する番組識別子情報、あるいは記事識別子情報のいずれかの情報に基づいて対応する番組識別子情報を持つ記事管理情報、あるいは対応する記事識別子情報の設定された記事管理情報中に通知された放送日時情報を格納する処理を実行する構成であることを特徴とする請求項６に記載の録画予約処理システム。
【請求項１１】
前記記事管理システムは、
ライセンスに基づく記事提示処理を実行する構成であることを特徴とする請求項６に記載の録画予約処理システム。
【請求項１２】
放送予定の番組に関連する記事情報を格納し管理する記事情報管理システムであり、
放送予定の番組に関連する記事情報の識別子としての記事識別子に対応付けて記事情報および番組識別子を記事管理情報として記録したデータベースと、
番組識別子に対応付けて番組管理情報を格納した番組管理システム、および録画処理装置とのデータ通信を実行するデータ通信手段と、
前記データベースに格納した記事管理情報に対応する番組の放送日時情報を前記番組管理システムから受信し、対応する記事管理情報中に放送日時情報を記録するとともに、前記録画処理装置からのアクセス要求に応じて、前記記事管理情報を前記録画処理装置に対して提示する処理を実行するデータ処理手段と、
を有することを特徴とする記事情報管理システム。
【請求項１３】
前記記事識別子はＵＲＬであり、
前記データ処理手段は、
前記録画処理装置からのＵＲＬ指定によるアクセス要求に従って、ＵＲＬに対応する記事の提示処理を実行する構成であることを特徴とする請求項１１に記載の記事情報管理システム。
【請求項１４】
受信予定の放送番組の録画処理を実行する録画処理方法であり、
放送番組に関連する記事情報であって記事識別子の設定された記事情報を取得するデータ入力ステップと、
前記記事情報の記事識別子を登録情報とした録画予約リストを生成し記憶部に格納するとともに、前記録画予約リストに設定された記事識別子に対応付けられた放送日時情報を入力し、前記記憶部に格納済みの録画予約リストに対して取得した放送日時情報の登録処理を実行する記事情報解析ステップと、
前記記憶部に格納された録画予約リストに設定された放送日時情報に基づいて録画処理を実行する録画処理制御ステップと、
を有することを特徴とする録画処理方法。
【請求項１５】
前記記事情報解析ステップは、
入力した前記放送日時情報に対応付けられた記事識別子と、前記記憶部に格納済みの録画予約リストに登録済みの記事識別子との照合を実行し、両識別子が一致する場合に前記録画予約リストに対する放送日時情報の登録処理を実行するステップを含むことを特徴とする請求項１４に記載の録画処理方法。
【請求項１６】
前記記事情報解析ステップは、
ユーザ入力情報に基づいて選択された記事に対応する記事識別子を登録情報とした録画予約リストを生成して記憶部に格納するステップを含むことを特徴とする請求項１４に記載の録画処理方法。
【請求項１７】
前記記事情報解析ステップは、
記憶部に格納されたユーザの嗜好情報に基づいて選択された記事に対応する記事識別子を登録情報とした録画予約リストを生成して記憶部に格納するステップを含むことを特徴とする請求項１４に記載の録画処理方法。
【請求項１８】
前記記事情報は、
放送番組関係者の提供する記事、または一般視聴者の提供する情報のいずれかであり、
前記記事情報解析ステップは、
放送番組関係者の提供する記事、または一般視聴者の提供する情報に対応付けられた記事識別子を登録情報とした録画予約リストを生成し記憶部に格納する処理を実行するステップを含むことを特徴とする請求項１４に記載の録画処理方法。
【請求項１９】
受信予定の放送番組の録画処理を実行するコンピュータ・プログラムであり、
放送番組に関連する記事情報であって記事識別子の設定された記事情報を取得するデータ入力ステップと、
前記記事情報の記事識別子を登録情報とした録画予約リストを生成し記憶部に格納するとともに、前記録画予約リストに設定された記事識別子に対応付けられた放送日時情報を入力し、前記記憶部に格納済みの録画予約リストに対して取得した放送日時情報の登録処理を実行する記事情報解析ステップと、
前記記憶部に格納された録画予約リストに設定された放送日時情報に基づいて録画処理を実行する録画処理制御ステップと、
を有することを特徴とするコンピュータ・プログラム。
【手続補正２】
【補正対象書類名】明細書
【補正対象項目名】０００９
【補正方法】変更
【補正の内容】
【０００９】
本発明の第１の側面は、
受信予定の放送番組の録画処理を実行する録画処理装置であり、
放送番組に関連する記事情報であって記事識別子の設定された記事情報を取得するデータ入力手段と、
前記記事情報の記事識別子を登録情報とした録画予約リストを生成し記憶部に格納するとともに、前記録画予約リストに設定された記事識別子に対応付けられた放送日時情報を前記データ入力手段を介して入力し、前記記憶部に格納済みの録画予約リストに対して取得した放送日時情報の登録処理を実行する記事情報解析手段と、
前記記憶部に格納された録画予約リストに設定された放送日時情報に基づいて録画処理を実行する録画処理制御手段と、
を有することを特徴とする録画処理装置にある。
【手続補正３】
【補正対象書類名】明細書
【補正対象項目名】００１０
【補正方法】変更
【補正の内容】
【００１０】
さらに、本発明の録画処理装置の一実施態様において、前記記事情報解析手段は、入力した前記放送日時情報に対応付けられた記事識別子と、前記記憶部に格納済みの録画予約リストに登録済みの記事識別子との照合を実行し、両識別子が一致する場合に前記録画予約リストに対する放送日時情報の登録処理を実行する構成であることを特徴とする。
【手続補正４】
【補正対象書類名】明細書
【補正対象項目名】００１１
【補正方法】変更
【補正の内容】
【００１１】
さらに、本発明の録画処理装置の一実施態様において、前記記事情報解析手段は、ユーザ入力情報に基づいて選択された記事に対応する記事識別子を登録情報とした録画予約リストを生成して記憶部に格納する構成であることを特徴とする。
【手続補正５】
【補正対象書類名】明細書
【補正対象項目名】００１２
【補正方法】変更
【補正の内容】
【００１２】
さらに、本発明の録画処理装置の一実施態様において、前記記事情報解析手段は、記憶部に格納されたユーザの嗜好情報に基づいて選択された記事に対応する記事識別子を登録情報とした録画予約リストを生成して記憶部に格納する構成であることを特徴とする、
【手続補正６】
【補正対象書類名】明細書
【補正対象項目名】００１３
【補正方法】変更
【補正の内容】
【００１３】
さらに、本発明の録画処理装置の一実施態様において、前記記事情報は、放送番組関係者の提供する記事、または一般視聴者の提供する情報のいずれかであり、前記記事情報解析手段は、放送番組関係者の提供する記事、または一般視聴者の提供する情報に対応付けられた記事識別子を登録情報とした録画予約リストを生成し記憶部に格納する処理を実行する構成であることを特徴とする。
【手続補正７】
【補正対象書類名】明細書
【補正対象項目名】００２０
【補正方法】変更
【補正の内容】
【００２０】
さらに、本発明の第３の側面は、
放送予定の番組に関連する記事情報を格納し管理する記事情報管理システムであり、
放送予定の番組に関連する記事情報の識別子としての記事識別子に対応付けて記事情報および番組識別子を記事管理情報として記録したデータベースと、
番組識別子に対応付けて番組管理情報を格納した番組管理システム、および録画処理装置とのデータ通信を実行するデータ通信手段と、
前記データベースに格納した記事管理情報に対応する番組の放送日時情報を前記番組管理システムから受信し、対応する記事管理情報中に放送日時情報を記録するとともに、前記録画処理装置からのアクセス要求に応じて、前記記事管理情報を前記録画処理装置に対して提示する処理を実行するデータ処理手段と、
を有することを特徴とする記事情報管理システムにある。
【手続補正８】
【補正対象書類名】明細書
【補正対象項目名】００２１
【補正方法】変更
【補正の内容】
【００２１】
さらに、本発明の記事情報管理システムの一実施態様において、前記記事識別子はＵＲＬであり、前記データ処理手段は、前記録画処理装置からのＵＲＬ指定によるアクセス要求に従って、ＵＲＬに対応する記事の提示処理を実行する構成であることを特徴とする。